(57)【要約】【課題】その突き当て部が排出されるシートの排出方向下流側の端部に衝突可能な位置まで回転又は移動してシートの排出位置を規制する規制手段を備えていない構成に比べて、小サイズシートの排出トレイ上での排出姿勢の乱れを抑制することができるシート搬送装置、画像読取装置および画像形成装置を提供する。【解決手段】シートを積載するシート積載台と、シート積載台上面においてシート積載台に積載されるシートのシート搬送方向と交差する方向のシート側端部に接触してシート側端部を正規位置に位置決めする側端部位置決め手段と、シート積載台下面において回転軸を中心に回動可能に設けられ、側端部位置決め手段がシートの最小幅に対応する位置に移動した際に、その突き当て部が排出されるシートの排出方向下流側の端部に衝突可能な位置まで回転してシートの排出位置を規制する規制手段と、を備えた。【選択図】図６
2020152509.tif 000002
【特許請求の範囲】
【請求項１】
シートを積載するシート積載台と、
前記シート積載台上面において前記シート積載台に積載される前記シートのシート搬送方向と交差する方向のシート側端部に接触して前記シート側端部を正規位置に位置決めする側端部位置決め手段と、
前記シート積載台下面において回転軸を中心に回動可能に設けられ、前記側端部位置決め手段が前記シートの最小幅に対応する位置に移動した際に、その突き当て部が排出される前記シートの排出方向下流側の端部に衝突可能な位置まで回転して前記シートの排出位置を規制する規制手段と、を備えた、
ことを特徴とするシート搬送装置。
【請求項２】
前記側端部位置決め手段は移動方向と交差する方向に突出する突起部を有し、前記シートの最小幅に対応する位置に移動する際に、前記規制手段の前記回転軸から外側に延びるように形成された腕部に接触することで前記規制手段をその突き当て部が排出される前記シートの排出方向下流側の端部に衝突可能な位置まで回転させる、
ことを特徴とする請求項１に記載のシート搬送装置。
【請求項３】
前記規制手段は、前記側端部位置決め手段が前記シートの最小幅に対応する位置以外に位置するときに、その突き当て部が排出される前記シートの排出方向下流側の端部とは衝突しない位置まで回転して前記シート積載台下面に収容される、
ことを特徴とする請求項１又は２に記載のシート搬送装置。
【請求項４】
シートを積載するシート積載台と、
前記シート積載台上面において前記シート積載台に積載される前記シートのシート搬送方向と交差する方向のシート側端部に接触して前記シート側端部を正規位置に位置決めする一対の側端部位置決め手段と、
前記シート積載台下面において前記シート排出方向に移動可能に設けられ、前記側端部位置決め手段が前記シートの最小幅に対応する位置に移動した際に、その突き当て部が排出される前記シートの排出方向下流側の端部に衝突可能な位置まで排出方向上流側に移動して前記シートの排出位置を規制する規制手段と、を備えた、
ことを特徴とするシート搬送装置。
【請求項５】
前記側端部位置決め手段は一方の側端部位置決め手段を移動させる操作が行われると、その操作力を他方の側端部位置決め手段へと伝達して、前記一対の側端部位置決め手段を相反する方向へと移動させるラックピニオン機構を有し、前記側端部位置決め手段が前記シートの最小幅に対応する位置に移動する際に、前記ラックピニオン機構のピニオンに巻き掛けられたベルト部材の移動に伴って、前記ベルト部材の一端に取り付けられた前記規制手段が前記排出される前記シートの排出方向下流側の端部に衝突可能な位置まで排出方向上流側に移動する、
ことを特徴とする請求項４に記載のシート搬送装置。
【請求項６】
前記規制手段は、前記排出される前記シートの排出方向下流側に回転可能である、
ことを特徴とする請求項４又は５に記載のシート搬送装置。
【請求項７】
シートの画像を読み取る撮像手段と、
前記撮像手段が前記シートを読み取る読取り位置に前記シートを搬送する請求項１ないし６のいずれか１項に記載のシート搬送装置と、を備えた、
ことを特徴とする画像読取装置。
【請求項８】
シートの画像を読み取る請求項７に記載の画像読取装置と、
前記画像読取装置で読み取った画像を記録媒体に記録する画像記録手段と、を備えた、
ことを特徴とする画像形成装置。
【発明の詳細な説明】
【技術分野】
【０００１】
本発明は、シート搬送装置、画像読取装置および画像形成装置に関する。
【背景技術】
【０００２】
原稿を載置する給紙トレイと、この給紙トレイ上の原稿を搬送路に送り出す給紙手段と、送り出された原稿を画像読取位置に導く搬送手段と、読み取られた原稿を排紙トレイ上に排出する排紙手段と、原稿読取時の搬送速度に対して原稿読取後の排出速度を可変に設定できる制御手段とを備える自動原稿送り装置において、原稿読取時の搬送速度が所定範囲内である場合には原稿読取後の排出速度を原稿読取時の搬送速度と等しい速度となるように制御する一方、原稿読取時の搬送速度が所定範囲外である場合には原稿読取後の排出速度を所定範囲内の速度となるように制御する自動原稿送り装置が知られている（特許文献１）。
【先行技術文献】
【特許文献】
【０００３】
【特許文献１】特開平１１−２２２３４５号公報
【発明の概要】
【発明が解決しようとする課題】
【０００４】
本発明は、その突き当て部が排出されるシートの排出方向下流側の端部に衝突可能な位置まで回転又は移動してシートの排出位置を規制する規制手段を備えていない構成に比べて、小サイズシートの排出トレイ上での排出姿勢の乱れを抑制することができるシート搬送装置、画像読取り装置および画像形成装置を提供することを目的とする。
【課題を解決するための手段】
【０００５】
前記課題を解決するために、請求項１に記載のシート搬送装置は、
シートを積載するシート積載台と、
前記シート積載台上面において前記シート積載台に積載される前記シートのシート搬送方向と交差する方向のシート側端部に接触して前記シート側端部を正規位置に位置決めする側端部位置決め手段と、
前記シート積載台下面において回転軸を中心に回動可能に設けられ、前記側端部位置決め手段が前記シートの最小幅に対応する位置に移動した際に、その突き当て部が排出される前記シートの排出方向下流側の端部に衝突可能な位置まで回転して前記シートの排出位置を規制する規制手段と、を備えた、
ことを特徴とする。
【０００６】
請求項２に記載の発明は、請求項１に記載のシート搬送装置において、
前記側端部位置決め手段は移動方向と交差する方向に突出する突起部を有し、前記シートの最小幅に対応する位置に移動する際に、前記規制手段の前記回転軸から外側に延びるように形成された腕部に接触することで前記規制手段をその突き当て部が排出される前記シートの排出方向下流側の端部に衝突可能な位置まで回転させる、
ことを特徴とする。
【０００７】
請求項３に記載の発明は、請求項１又は２に記載のシート搬送装置において、
前記規制手段は、前記側端部位置決め手段が前記シートの最小幅に対応する位置以外に位置するときに、その突き当て部が排出される前記シートの排出方向下流側の端部とは衝突しない位置まで回転して前記シート積載台下面に収容される、
ことを特徴とする。
【０００８】
前記課題を解決するために、請求項４に記載のシート搬送装置は、
シートを積載するシート積載台と、
前記シート積載台上面において前記シート積載台に積載される前記シートのシート搬送方向と交差する方向のシート側端部に接触して前記シート側端部を正規位置に位置決めする一対の側端部位置決め手段と、
前記シート積載台下面において前記シート排出方向に移動可能に設けられ、前記側端部位置決め手段が前記シートの最小幅に対応する位置に移動した際に、その突き当て部が排出される前記シートの排出方向下流側の端部に衝突可能な位置まで排出方向上流側に移動して前記シートの排出位置を規制する規制手段と、を備えた、
ことを特徴とする。
【０００９】
請求項５に記載の発明は、請求項４に記載のシート搬送装置において、
前記側端部位置決め手段は一方の側端部位置決め手段を移動させる操作が行われると、その操作力を他方の側端部位置決め手段へと伝達して、前記一対の側端部位置決め手段を相反する方向へと移動させるラックピニオン機構を有し、前記側端部位置決め手段が前記シートの最小幅に対応する位置に移動する際に、前記ラックピニオン機構のピニオンに巻き掛けられたベルト部材の移動に伴って、前記ベルト部材の一端に取り付けられた前記規制手段が前記排出される前記シートの排出方向下流側の端部に衝突可能な位置まで排出方向上流側に移動する、
ことを特徴とする。
【００１０】
請求項６に記載の発明は、請求項４又は５に記載のシート搬送装置において、
前記規制手段は、前記排出される前記シートの排出方向下流側に回転可能である、
ことを特徴とする。
【００１１】
前記課題を解決するために、請求項７に記載の画像読取装置は、
シートの画像を読み取る撮像手段と、
前記撮像手段が前記シートを読み取る読取り位置に前記シートを搬送する請求項１ないし６のいずれか１項に記載のシート搬送装置と、を備えた、
ことを特徴とする。
【００１２】
前記課題を解決するために、請求項８に記載の画像形成装置は、
シートの画像を読み取る請求項７に記載の画像読取装置と、
前記画像読取装置で読み取った画像を記録媒体に記録する画像記録装置と、を備えた、
ことを特徴とする。
【発明の効果】
【００１３】
請求項１、７、８に記載の発明によれば、その突き当て部が排出されるシートの排出方向下流側の端部に衝突可能な位置まで回転してシートの排出位置を規制する規制手段を備えていない構成に比べて、小サイズシートの排出トレイ上での排出姿勢の乱れを抑制することができる。
【００１４】
請求項２に記載の発明によれば、側端部位置決め手段を操作シートの最小幅に対応する位置に移動させる操作で、規制手段を回転させることができる。
【００１５】
請求項３に記載の発明によれば、側端部位置決め手段を操作シートの最小幅に対応する位置以外に移動させる操作で、規制手段を収容位置に戻すことができる。
【００１６】
請求項４に記載の発明によれば、その突き当て部が排出されるシートの排出方向下流側の端部に衝突可能な位置まで排出方向上流側に移動してシートの排出位置を規制する規制手段を備えていない構成に比べて、小サイズシートの排出トレイ上での排出姿勢の乱れを抑制することができる。
【００１７】
請求項５に記載の発明によれば、側端部位置決め手段を操作シートの最小幅に対応する位置に移動させる操作で、規制手段を移動させることができる。
【００１８】
請求項６に記載の発明によれば、排出されるシートのダメージを低減することができる。
【図面の簡単な説明】
【００１９】
【図１】画像形成装置の内部構成を示す断面模式図である。
【図２】画像読取装置の内部構成を示す断面構成図である。
【図３】画像読取装置におけるシートの搬送を示す断面模式図である。
【図４】シート積載部におけるサイドガイドの構成を示す平面模式図である。
【図５】シート積載部におけるシートの載置を示す平面模式図である。
【図６】押さえ機構の構成と動作を示す断面模式図であり、（ａ）は押さえ部材が収容された状態、（ｂ）は押さえ部材が回転した状態を示す断面模式図である。
【図７】小サイズシートの排出を説明するための断面模式図である。
【図８】変形例に係る押さえ機構の構成と小サイズシート以外に対する動作を示す断面模式図である。
【図９】変形例に係る押さえ機構の構成と小サイズシートに対する動作を示す断面模式図である。
【図１０】小サイズシートの排出を説明するための断面模式図である。
【図１１】小サイズシート以外の排出を説明するための断面模式図である。
【図１２】押さえ機構を備えていない比較例の画像読取装置における小サイズシートの搬送と排紙部への排出状態を示す図である。
【発明を実施するための形態】
【００２０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２１】
「第１実施形態」
（１）画像形成装置の全体構成及び動作
図１は本実施形態に係る画像形成装置１の内部構成を示す断面模式図、図２は画像読取装置２の内部構成を示す断面構成図、図３は画像読取装置２におけるシートの搬送を示す断面模式図である。以下、図面を参照しながら、画像形成装置１の全体構成及び動作を説明する。
【００２２】
（１．１）全体構成
画像形成装置１は、シートから画像を読み取って画像データに変換する画像読取装置２、読み取った画像データを記録媒体としての用紙に印刷する画像記録手段としての画像形成部３、ユーザーインターフェイスとしての操作情報部４、画像処理部５、を備えて構成されている。
【００２３】
画像読取装置２は、シート積載部２１と、自動シート送り部２２と、撮像手段の一例としての画像読取部２３とを備えて構成されている。自動シート送り部２２は、シート積載部２１に置かれたシートＳを画像読取部２３の読取位置に搬送し、画像読取部２３のＣＣＤ（Charge Coupled Device）ラインセンサ等のイメージセンサ（不図示）で読み取られた画像は電気信号である画像データに変換される。
【００２４】
画像形成部３は、給紙装置３２、露光装置３３、感光体ユニット３４、現像装置３５、転写装置３６、定着装置３７を備えて構成され、画像処理部５から受け取った画像情報を給紙装置３２から送り込まれた用紙Ｐ上にトナー像として形成する。
【００２５】
画像読取装置２の前面側には、ユーザーインターフェイスとしての操作情報部４が配置されている。操作情報部４は、液晶表示パネル、各種操作ボタン、タッチパネル等を組み合わせて構成され、画像形成装置１の使用者は、受付手段の一例としての操作情報部４を介して各種の設定や指示の入力を行う。また、液晶表示パネルを介して画像形成装置１の使用者へ各種情報を表示する。
【００２６】
画像処理部５は、画像読取装置２で読み取られた画像及び外部機器（例えばパーソナルコンピュータ等）から送信された印刷情報から画像データを生成する。
【００２７】
（１．２）画像形成部
画像形成部３では、画像形成のタイミングに合わせて給紙装置３２から印刷ジョブで印刷の１枚毎に指定された用紙Ｐが画像形成部３へ送り込まれる。
【００２８】
感光体ユニット３４は、給紙装置３２の上方に、それぞれが並列して設けられ、回転駆動する感光体ドラム３４１を備えている。露光装置３３により静電潜像が形成されたそれぞれの感光体ドラム３４１上には、それぞれの現像装置３５によってイエロー（Ｙ）、マゼンタ（Ｍ）、シアン（Ｃ）、黒（Ｋ）のトナー像が形成される。
【００２９】
各感光体ユニット３４の感光体ドラム３４１に形成された各色トナー像は、転写装置３６の中間転写ベルト３６１上に順次静電転写（一次転写）され、各色トナーが重畳された重畳トナー像が形成される。中間転写ベルト３６１上の重畳トナー像は、レジストローラ対３２１から送り出され、搬送ガイドにより案内された用紙Ｐに二次転写ローラ３６２によって一括転写される。  
【００３０】
定着装置３７は一対の加熱モジュール３７１と加圧モジュール３７２の圧接領域によって定着ニップＦＮ（定着領域）が形成される。
転写装置３６においてトナー像が一括転写された用紙Ｐは、トナー像が未定着の状態で搬送ガイド３６３を介して定着装置３７の定着ニップＮＦに搬送され、一対の加熱モジュール３７１と加圧モジュール３７２により、加熱と圧着の作用でトナー像が定着される。
【００３１】
定着トナー像が形成された用紙Ｐは、切替ゲートＧ１にガイドされ、第１排出ローラ対３７３から画像形成装置１上面の排紙トレイ部ＴＲ１に排出・収容される。また、両面印刷のために反転したり、画像記録面を上側にして排出する場合は、切替ゲートＧ１で搬送路３７５に向って搬送方向が切り替えられる。
【００３２】
（１．３）画像読取装置
画像読取装置２は、シート積載部２１と、自動シート送り部２２と、画像読取部２３とを備えている。なお、シート積載部２１と自動シート送り部２２は、画像読取部２３の上方へ開閉可能に連結されている。
【００３３】
シート積載部２１は、画像が記録されたシートＳが載置されるシートトレイ２１２を備えている。
自動シート送り部２２は、シートトレイ２１２上に積載されたシートＳを上から順に取り出すナジャーローラ２２１と、フィードローラ２２２及びリタードローラ２２３からなる分離部２２４を備えている。
分離部２２４では、フィードローラ２２２とリタードローラ２２３とが対となって、シートＳが重なってニップ部Ｎに送り出された場合に、シートＳを分離して（捌いて）、一枚ずつ画像読取部２３に搬送する。
【００３４】
搬送路Ｇには、シートＳの搬送方向に対して、フィードローラ２２２の下流側の位置に、テイクアウェイローラ２２５が配置されている。テイクアウェイローラ２２５は、フィードローラ２２２で送り出されるシートＳを、プレレジローラ２２６へ搬送する。
【００３５】
プレレジローラ２２６の下流側には、シートＳの搬送タイミングを調整するレジローラ２２７が配置されている。プレレジローラ２２６は停止しているレジローラ２２７にシートＳの先端を突き当てた状態でループを形成して斜行を補正する。レジローラ２２７は読み取りの開始タイミングに合わせて回転駆動され、シートＳは搬送ローラ２２５及びプレレジローラ２２６でループを保持された状態でプラテンローラ２２８によって、シート通過面ＰＧ１に押し当てられて表面を画像読取部２３で読み取られる。
【００３６】
シート通過面ＰＧ１の右方には、操作者が載置したシートＳが支持されるシート載置面ＰＧ２が配置されている。シート通過面ＰＧ１と、シート載置面ＰＧ２との間には、シートガイドＰＧ３が配置され、シート通過面ＰＧ１を通過したシートＳはシートガイドＰＧ３に案内されて読取センサ２３２へ搬送される。表面を画像読取部２３で読み取られたシートＳは、読取センサ２３２で裏面を読み取られながら、排出ローラ２２９でシート積載部２１の下方に形成された排紙部２１７に排出される。
【００３７】
シート載置面ＰＧ２２の下部には、シートＳの画像を光学的に読み取って電気信号に変換する画像読取センサ２３１が設けられており、シート通過面ＰＧ１上を通過するシートＳ、又は、シート載置面ＰＧ２上に設置されたシートＳの画像を読み取る。読み取った画像は、電気信号である画像データに変換される。
【００３８】
（２）シート積載部の構成と動作
図４はシート積載部２１におけるサイドガイド２１５の構成を示す平面模式図、図５はシート積載部２１におけるシートＳの載置を示す平面模式図、図６は押さえ機構２４０の構成と動作を示す断面模式図であり、（ａ）は押さえ部材が収容された状態、（ｂ）は押さえ部材が回転した状態を示す断面模式図、図７は小サイズシートの排出を説明するための断面模式図である。以下、図面を参照しながら、シート積載部２１の構成と動作について説明する。
【００３９】
（２．１）シート積載部の構成
シート積載部２１は、シート積載台の一例としてのシートトレイ２１２を有し、異なるサイズのシート、すなわちシート搬送方向（図５中  矢印Ｒ）に沿った距離であるシート長と、シート搬送方向と交差（直交）する方向に沿った距離であるシート幅との少なくとも一方が異なるシートを積載可能となっている。
【００４０】
シートトレイ２１２のシート載置面２１２ａのシート搬送方向に交差（直交）する方向には側端部位置決め手段の一例としての一対のサイドガイド２１５が移動可能に配置され、シート幅方向の側端がサイドガイド２１５を基準として幅方向揃えがなされるセンターレジストレーション方式が取られている。
【００４１】
図４に示すように、サイドガイド２１５は、シートＳの幅方向において互いに対向し、ラックピニオン機構によって連結されている。具体的には、それぞれのサイドガイド２１５は、移動方向に延びるラック２１５Ｂが規制部２１５Ａと一体として形成され、トレイ本体２１１に回転可能に配置されたピニオン２１５Ｃと噛み合って連結されている。係るラックピニオン機構によって、サイドガイド２１５の片方をシートＳのサイズに合わせて移動させる（図４  矢印参照）と、一対のサイドガイド２１５は、互いにその間隔を狭めたり広げたりするように連動して移動する。
【００４２】
図５に模式的に示すように、シートトレイ２１２上では、最大サイズのシートＳｍｘから最小サイズのシートＳｍｎが載置される場合、サイドガイド２１５をそのサイズに合わせて移動させることでシートＳの幅方向がセンターレジストレーション方式で位置決めされる。
【００４３】
（２．２）シートトレイに対する押さえ機構の組付け構成
図６には規制手段の一例としての押さえ機構２４０の組付け構成を示している。押さえ機構２４０は、サイドガイド２１５がシートＳの最小幅に対応する位置に移動した際に、その突き当て部２４１が排出されるシートＳの排出方向下流側の端部に衝突可能な位置まで回転してシートＳの排出位置を規制するように作用する。
【００４４】
押さえ機構２４０は、一端に回転軸２４１ａを有し、一方向に延びる板状部材である突き当て部２４１と、サイドガイド２１５のラック２１５Ｂ側で下方（−Ｚ方向）に突出して一体に形成された突起部２１５Ｄと、突き当て部２４１の回転軸２４１ａ側に突出して形成された腕部２４１ｂから構成され、突き当て部２４１が回転軸２４１ａでトレイ本体２１１に回転可能に支持されている。
【００４５】
突き当て部２４１は、図６（ａ）に示すように、サイドガイド２１５に形成された突起部２１５Ｄが腕部２４１ｂに接触しない状態、すなわち、サイドガイド２１５がシートＳの最小幅に対応する位置以外に位置する状態では、回転軸２４１ａに装着されたトーションスプリングＴＳでトレイ本体２１１に形成された凹部２１１ａに収容されるように付勢されている。
【００４６】
そして、図６（ｂ）に示すように、サイドガイド２１５がシートＳの最小幅に対応する位置に移動する際に、サイドガイド２１５に形成された突起部２１５Ｄが突き当て部２４１に突出して形成された腕部２４１ｂに接触すると、回転軸２４１ａを中心に回転して（図６（ｂ）中  矢印Ｒ参照）排出されるシートＳの排出方向下流側の端部に衝突可能な位置に突出した状態になる。
【００４７】
（２．３）押さえ機構の作用
図１２は押さえ機構を備えていない比較例の画像読取装置２００における小サイズシートの搬送と排紙部２１７への排出状態を示している。
最小幅のサイズを持つシートＳの一例として、名刺ＮＣをシートトレイ２１２に載置してサイドガイド２１５を名刺ＮＣの両端部の位置に合わせ読み取りを開始する。シートトレイ２１２上の名刺ＮＣは、幅方向がサイドガイド２１５で位置決めされた状態でナジャーローラ２２１で送り出され、一枚ずつ画像読取部２３に搬送される。
【００４８】
画像読取部２３で画像が読み取られた名刺ＮＣは、排出ローラ２２９でシート積載部２１の下方に形成された排紙部２１７に排出される。ここで、名刺ＮＣは、通常のシートと異なり、そのサイズは小さいが、シートの坪量は大きく、普通紙に比べて剛性が高い。このように、シートサイズが小さく（最小サイズ）剛性が高い名刺ＮＣを排出ローラ２２９で排出する場合、名刺ＮＣの後端が排紙部２１７上で排出ローラ２２９から離れた位置まで排出される。このとき、図１２に模式的に示すように、排紙部２１７上で積載された排出姿勢が不揃いになりやすく、順狂いが発生する虞もあった。
【００４９】
図７には押さえ機構２４０を備えた本実施形態に係る画像読取装置２における小サイズシートの搬送と排紙部２１７への排出状態を示している。
シート積載部２１のシートトレイ２１２に最小幅のサイズを持つ名刺ＮＣを載置してサイドガイド２１５を名刺ＮＣの両端部の位置に合わせた最小幅の位置に移動させると、突き当て部２４１が回転して排出されるシートＳの先端部が衝突する位置に突出する。そして、読み取りを開始すると、シートトレイ２１２上の名刺ＮＣは、幅方向がサイドガイド２１５で位置決めされた状態でナジャーローラ２２１によって送り出され、一枚ずつ画像読取部２３に搬送される。
【００５０】
画像読取部２３で画像が読み取られた名刺ＮＣは、排出ローラ２２９でシート積載部２１の下方に形成された排紙部２１７に排出される。このとき、図７に示すように、排出ローラ２２９のシート排出方向下流側で排出ローラ２２９に近い位置には、突き当て部２４１が名刺ＮＣの排出軌道上に突出して位置し、名刺ＮＣは突き当て部２４１に衝突して排紙部２１７に積載される。これにより、小サイズシートとしての名刺ＮＣは排紙部２１７上で順狂いになることもなく、排出姿勢の乱れが抑制される。
【００５１】
「変形例」
図８は変形例に係る押さえ機構２５０の構成と小サイズシート以外に対する動作を示す断面模式図、図９は変形例に係る押さえ機構２５０の構成と小サイズシートに対する動作を示す断面模式図、図１０は小サイズシートの排出を説明するための断面模式図、図１１は小サイズシート以外の排出を説明するための断面模式図である。
変形例に係る押さえ機構２５０は、トレイ本体２１１の下面においてシート排出方向に移動可能に設けられ、サイドガイド２１５がシートＳの最小幅に対応する位置に移動した際に、その突き当て部２５５が排出されるシートＳの排出方向下流側の端部に衝突可能な位置まで移動してシートＳの排出位置を規制するように作用する。
【００５２】
図８（ａ）は、押さえ機構２５０の構成を説明するために、トレイ本体２１１の内側からトレイ本体２１１及びシートトレイ２１２を省略して模式的に図示している。
押さえ機構２５０は、サイドガイド２１５のラックピニオン機構のピニオン２１５Ｃと一体に設けられた第１プーリ２５１と、シートトレイ２１２のシート送り出し方向における下流側に回転可能に設けられた第２プーリ２５２と、第１プーリ２５１と第２プーリ２５２との間に巻き掛けられたベルト部材２５３と、ベルト部材２５３に固定された保持部材２５４と、保持部材２５４に排出されるシートＳの排出方向下流側に回転軸２５４ａで回転可能に保持された突き当て部２５５と、から構成されている。
【００５３】
押さえ機構２５０は、サイドガイド２１５がシートＳの幅方向にその間隔を狭めるように移動する（図８（ａ）中  矢印Ｒ１参照）と、ラック２１５Ｂと噛み合うピニオン２１５Ｃが回転し、ピニオン２１５Ｃと一体に形成された第１プーリ２５１が回転する（図８（ａ）中  矢印Ｒ２参照）。第１プーリ２５１が回転すると、これに巻き掛けられたベルト部材２５３が第１プーリ２５１の回転範囲で移動（図８（ａ）中  矢印Ｒ３参照）し、ベルト部材２５３に固定された保持部材２５４がベルト部材２５３とともにシート送り出し方向の上流側に移動する。
これにより、サイドガイド２１５がシートＳの最小幅に対応する位置に移動した際に、その突き当て部２５５が排出されるシートＳの排出方向下流側の端部に衝突可能な位置まで排出方向上流側に移動してシートＳの排出位置を規制する状態となる。
【００５４】
押さえ機構２５０は、サイドガイド２１５がシートＳの幅方向にその間隔を広げるように移動する（図９（ａ）中  矢印Ｒ１参照）と、ラック２１５Ｂと噛み合うピニオン２１５Ｃが回転し、ピニオン２１５Ｃと一体に形成された第１プーリ２５１が回転する（図９（ａ）中  矢印Ｒ２参照）。第１プーリ２５１が回転すると、これに巻き掛けられたベルト部材２５３が第１プーリ２５１の回転範囲で移動（図９（ａ）中  矢印Ｒ３参照）し、ベルト部材２５３に固定された保持部材２５４がベルト部材２５３とともにシート送り出し方向の下流側に移動する。
これにより、サイドガイド２１５がシートＳの最小幅以外に対応する位置に移動した際に、その突き当て部２５５が排出されるシートＳの排出方向下流側の端部に衝突可能な位置まで排出方向下流側に移動して最小サイズ以外のシートＳの排出位置を規制する状態となる。
【００５５】
図１０には変形例に係る押さえ機構２５０を備えた画像読取装置２における最小サイズシートである名刺ＮＣの搬送と排紙部２１７への排出状態を示している。
シートトレイ２１２に最小幅のサイズを持つ名刺ＮＣを載置してサイドガイド２１５をシートの最小幅の位置に合わせるように最小幅の位置に移動させると、ベルト部材２５３の移動とともに突き当て部２５５がシートＳの排出方向上流側に移動して排出されるシートＳの排出方向下流側の端部に衝突可能な位置でシートＳの排出位置を規制する状態となる。
【００５６】
そして、読み取りを開始すると、シートトレイ２１２上の名刺ＮＣは、幅方向がサイドガイド２１５で位置決めされた状態でナジャーローラ２２１で送り出され、一枚ずつ画像読取部２３に搬送される。画像読取部２３で画像が読み取られた名刺ＮＣは、排出ローラ２２９でシート積載部２１の下方に形成された排紙部２１７に排出される。
このとき、図１０に示すように、排出ローラ２２９のシート排出方向下流側の排出ローラ２２９に近い位置には、突き当て部２５５が名刺ＮＣの排出軌道上に突出して位置し、名刺ＮＣは突き当て部２５５に衝突して排紙部２１７に積載される。これにより、小サイズシートとしての名刺ＮＣは排紙部２１７上で順狂いになることもなく、排出姿勢の乱れが抑制される。
【００５７】
図１１には変形例に係る押さえ機構２５０を備えた画像読取装置２における最小サイズ以外のシートＳの搬送と排紙部２１７への排出状態を示している。
シートトレイ２１２に最小サイズ以外のシートＳを載置してサイドガイド２１５をシートの幅の位置に合わせるように移動させると、ベルト部材２５３の移動とともに突き当て部２５５がシートＳの排出方向下流側に移動して排出されるシートＳの排出方向下流側の端部に衝突可能な位置でシートＳの排出位置を規制する状態となる。
【００５８】
そして、読み取りを開始すると、シートトレイ２１２上のシートＳは、幅方向がサイドガイド２１５で位置決めされた状態でナジャーローラ２２１で送り出され、一枚ずつ画像読取部２３に搬送される。画像読取部２３で画像が読み取られたシートＳは、排出ローラ２２９でシート積載部２１の下方に形成された排紙部２１７に排出される。
【００５９】
このとき、図１１に示すように、排出ローラ２２９のシート排出方向下流側の排出ローラ２２９から離れた位置には、突き当て部２５５がシートＳの排出軌道上に突出して位置し、シートＳは突き当て部２５５に衝突して排紙部２１７に積載される。これにより、小サイズシート以外のシートＳであっても、排紙部２１７上で排出姿勢の乱れが抑制された状態で積載される。
【００６０】
本実施形態に係るシート積載部２１によれば、サイドガイド２１５がシートＳの最小幅に対応する位置に移動した際に、押さえ機構２４０の突き当て部２４１が排出されるシートＳの排出方向下流側の端部に衝突可能な位置まで回転してシートＳの排出位置を規制する。また、サイドガイド２１５がシートＳの最小幅に対応する位置に移動した際に、その突き当て部２５５が排出されるシートＳの排出方向下流側の端部に衝突可能な位置まで移動してシートＳの排出位置を規制する。これにより、その突き当て部が排出されるシートの排出方向下流側の端部に衝突可能な位置まで回転又は移動してシートの排出位置を規制する規制手段を備えていない構成に比べて、小サイズシートの排出トレイ上での排出姿勢の乱れを抑制することができる。
【符号の説明】
【００６１】
１・・・画像形成装置
２・・・画像読取装置
２１・・・シート積載部
２１１・・・トレイ本体
２１２・・・シートトレイ
２１５・・・サイドガイド
２１５Ａ・・・規制部
２１５Ｂ・・・ラック
２１５Ｃ・・・ピニオン
２４０、２５０・・・押さえ機構
２４１、２５５・・・突き当て部
２２・・・シート原稿送り部
２３・・・画像読取部
３・・・画像形成部
４・・・操作情報部
５・・・画像処理部
【図１】
2020152509.tif 000003
【図２】
2020152509.tif 000004
【図３】
2020152509.tif 000005
【図４】
2020152509.tif 000006
【図５】
2020152509.tif 000007
【図６】
2020152509.tif 000008
【図７】
2020152509.tif 000009
【図８】
2020152509.tif 000010
【図９】
2020152509.tif 000011
【図１０】
2020152509.tif 000012
【図１１】
2020152509.tif 000013
【図１２】
2020152509.tif 000014